【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
可視光を使用してモバイルデバイスの位置を決定する方法であって、
複数の固定照明器具に関する位置情報を受信することと、
リセットイベントの発生を示すリセット情報を受信することと、
可視光を介して、前記複数の固定照明器具のうちの第１の固定照明器具から識別子を受信することと、
前記識別子、前記受信された位置情報、及び前記受信されたリセット情報に基づいて、前記第１の固定照明器具の位置を決定することと、
を備え、
前記位置情報及び前記リセット情報は、可視光と異なるワイヤレス通信媒体を介して受信される、方法。
【請求項２】
前記リセット情報は、複数の識別子のサブセット、又は前記複数の識別子の前記サブセットを識別するためのものであるインデックスのいずれかを備える、請求項１に記載の方法。
【請求項３】
前記複数の識別子を受信すること、
をさらに備える、請求項２に記載の方法。
【請求項４】
前記リセット情報が前記インデックスを備える場合、前記リセット情報を受信することに応じて、前記複数の識別子の前記サブセットを識別すること、
をさらに備える、請求項３に記載の方法。
【請求項５】
前記複数の識別子は、行列の形式で配列される、請求項３に記載の方法。
【請求項６】
前記行列は、ラテン方格を備える、請求項５に記載の方法。
【請求項７】
前記リセット情報が前記インデックスを備える場合、前記リセット情報を受信することに応じて、前記複数の識別子の前記サブセットを識別すること、
をさらに備え、
前記サブセットを前記識別することは、前記インデックスを使用して、前記行列の特定の列又は特定の行を識別することを備える、
請求項５に記載の方法。
【請求項８】
ロケーションサービスのための要求を送信することと、ここにおいて、前記リセット情報は、前記要求を前記送信することに応じて受信され、
前記第１の固定照明器具の前記位置に少なくとも部分的に基づいて、前記モバイルデバイスの位置を決定することと、
をさらに備える、請求項１に記載の方法。
【請求項９】
可視光を使用して位置を決定するためのデバイスであって、
複数の固定照明器具に関する位置情報を受信することと、
リセットイベントの発生を示すリセット情報を受信することと、
を行うように構成されたトランシーバと、
可視光を介して、前記複数の固定照明器具のうちの第１の固定照明器具から識別子を受信するように構成された光センサと、
メモリと、
前記識別子、前記受信された位置情報、及び前記受信されたリセット情報に基づいて、前記第１の固定照明器具の位置を決定するように構成され、前記メモリに結合された少なくとも１つのプロセッサと、
を備える、デバイス。
【請求項１０】
前記リセット情報は、複数の識別子のサブセット、又は前記複数の識別子の前記サブセットを識別するためのものであるインデックスのいずれかを備え、
前記トランシーバは、前記複数の識別子を受信するようにさらに構成される、請求項９に記載のデバイス。
【請求項１１】
前記少なくとも１つのプロセッサは、前記リセット情報が前記インデックスを備える場合、前記リセット情報を受信することに応じて、前記複数の識別子の前記サブセットを識別するようにさらに構成される、請求項１０に記載のデバイス。
【請求項１２】
前記複数の識別子は、行列の形式で配列され、
前記少なくとも１つのプロセッサは、前記リセット情報が前記インデックスを備える場合、前記リセット情報を受信することに応じて、前記複数の識別子の前記サブセットを識別するようにさらに構成され、
前記サブセットを前記識別することは、前記インデックスを使用して、前記行列の特定の列又は特定の行を識別することを備える、
請求項１０に記載のデバイス。
【請求項１３】
前記複数の識別子は、行列の形式で配列され、前記行列は、ラテン方格を備える、請求項１０に記載のデバイス。
【請求項１４】
前記トランシーバは、ロケーションサービスのための要求を送信するようにさらに構成され、
前記リセット情報は、前記要求が送信されることに応じて受信される、
請求項９に記載のデバイス。
【請求項１５】
可視光を使用してモバイルデバイスの位置を決定するための装置であって、
複数の固定照明器具に関する位置情報を受信するための受信手段と、
リセットイベントの発生を示すリセット情報を受信するための受信手段と、
可視光を介して、前記複数の固定照明器具のうちの第１の固定照明器具から識別子を受信するための受信手段と、
前記識別子、前記受信された位置情報、及び前記受信されたリセット情報に基づいて、前記第１の固定照明器具の位置を決定するための決定手段と、
を備え、
前記位置情報及び前記リセット情報は、可視光と異なるワイヤレス通信媒体を介して受信される、装置。
【請求項１６】
前記リセット情報は、複数の識別子のサブセット、又は前記複数の識別子の前記サブセットを識別するためのものであるインデックスのいずれかを備える、請求項１５に記載の装置。
【請求項１７】
前記複数の識別子を受信するための受信手段をさらに備える、請求項１６に記載の装置。
【請求項１８】
前記リセット情報が前記インデックスを備える場合、前記リセット情報を受信することに応じて、前記複数の識別子の前記サブセットを識別するための識別手段をさらに備える、請求項１７に記載の装置。
【請求項１９】
前記複数の識別子は、行列の形式で配列される、請求項１７に記載の装置。
【請求項２０】
前記行列は、ラテン方格を備える、請求項１９に記載の装置。
【請求項２１】
前記リセット情報が前記インデックスを備える場合、前記リセット情報を受信することに応じて、前記複数の識別子の前記サブセットを識別するための識別手段、
をさらに備え、
前記サブセットを前記識別するための手段は、前記インデックスを使用して、前記行列の特定の列又は特定の行を識別するように構成される、
請求項１９に記載の装置。
【請求項２２】
ロケーションサービスのための要求を送信するための送信手段と、ここにおいて、前記リセット情報は、前記要求を前記送信するための手段に応じて受信され、
前記第１の固定照明器具の前記位置に少なくとも部分的に基づいて、前記モバイルデバイスの位置を決定するための決定手段と、
をさらに備える、請求項１５に記載の装置。
【請求項２３】
コンピュータ実行可能なコードを記憶する非一時的コンピュータ可読媒体であって、前記コンピュータ実行可能なコードは、プロセッサによって実行されると、前記プロセッサに、
複数の固定照明器具に関する位置情報を受信することと、
リセットイベントの発生を示すリセット情報を受信することと、
可視光を介して、前記複数の固定照明器具のうちの第１の固定照明器具から識別子を受信することと、
前記識別子、前記受信された位置情報、及び前記受信されたリセット情報に基づいて、前記第１の固定照明器具の位置を決定することと、
を行わせ、
前記位置情報及び前記リセット情報は、可視光と異なるワイヤレス通信媒体を介して受信される、
非一時的コンピュータ可読媒体。
【請求項２４】
前記リセット情報は、複数の識別子のサブセット、又は前記複数の識別子の前記サブセットを識別するためのものであるインデックスのいずれかを備える、請求項２３に記載の非一時的コンピュータ可読媒体。
【請求項２５】
前記プロセッサによって実行されると、前記プロセッサに、
前記複数の識別子を受信すること、
を行わせるためのコードをさらに備える、請求項２４に記載の非一時的コンピュータ可読媒体。
【請求項２６】
前記プロセッサによって実行されると、前記プロセッサに、
前記リセット情報が前記インデックスを備える場合、前記リセット情報を受信することに応じて、前記複数の識別子の前記サブセットを識別すること、
を行わせるためのコードをさらに備える、請求項２５に記載の非一時的コンピュータ可読媒体。
【請求項２７】
前記複数の識別子は、行列の形式で配列される、請求項２５に記載の非一時的コンピュータ可読媒体。
【請求項２８】
前記行列は、ラテン方格を備える、請求項２７に記載の非一時的コンピュータ可読媒体。
【請求項２９】
前記プロセッサによって実行されると、前記プロセッサに、
前記リセット情報が前記インデックスを備える場合、前記リセット情報を受信することに応じて、前記複数の識別子の前記サブセットを識別すること、
を行わせるためのコードをさらに備え、
前記サブセットを前記識別することは、前記インデックスを使用して、前記行列の特定の列又は特定の行を識別することを備える、
請求項２７に記載の非一時的コンピュータ可読媒体。
【請求項３０】
前記プロセッサによって実行されると、前記プロセッサに、
ロケーションサービスのための要求を送信することと、ここにおいて、前記リセット情報は、前記要求を前記送信するための手段に応じて受信され、
前記第１の固定照明器具の前記位置に少なくとも部分的に基づいて、前記モバイルデバイスの位置を決定することと、
を行わせるためのコードをさらに備える、請求項２３に記載の非一時的コンピュータ可読媒体。